(57)【要約】【課題】  本発明は、従来よりも光軸方向において小型な光学機器を提供することを目的とする。【解決手段】  光学機器が、光軸方向に移動可能なレンズユニットと、前記レンズユニットを前記光軸方向へ移動させるためのマニュアルリングと、前記マニュアルリングが有するくし歯形状を覆うように配置されたフォトインタラプタと、マイクロホンと、を備える。そして、前記レンズユニットの光軸を中心とした回転方向において、前記フォトインタラプタと前記マイクロホンは互いに異なる位置に配置されている。【選択図】  図１
2018098587.tif 000002
【特許請求の範囲】
【請求項１】
光軸方向に移動可能なレンズユニットと、
前記レンズユニットを前記光軸方向へ移動させるためのマニュアルリングと、
前記マニュアルリングが有するくし歯形状を覆うように配置されたフォトインタラプタと、
マイクロホンと、を備え、
前記レンズユニットの光軸を中心とした回転方向において、前記フォトインタラプタと前記マイクロホンは互いに異なる位置に配置されている、
ことを特徴とする光学機器。
【請求項２】
前記レンズユニットの光軸方向視において１２０度間隔で分割された３つの領域を第１領域、第２領域、第３領域とするとき、前記マイクロホンは前記第１領域に設けられおり、前記フォトインタラプは前記第２領域あるいは前記第３領域に設けられている、
ことを特徴とする請求項１に記載の光学機器。
【請求項３】
前記回転方向において、前記フォトインタラプタは前記マイクロホンから９０度以上離れた位置に設けられている、
ことを特徴とする請求項１に記載の光学機器。
【請求項４】
前記レンズユニットを含むとともに、ズーミングあるいはフォーカシングの際に隣接するレンズユニット間の間隔が変化するように設けられた複数のレンズユニットをさらに備える、
ことを特徴とする請求項１乃至３のいずれか一項に記載の光学機器。
【請求項５】
前記複数のレンズユニットのうち最も被写体側に位置しているレンズユニットを第１レンズユニットとするとき、
前記第１レンズユニットを保持する第１レンズユニット保持鏡筒と、
前記第１レンズユニット保持鏡筒よりも像側に配置された固定鏡筒と、
前記固定鏡筒に対する前記第１レンズユニット保持鏡筒の相対的な姿勢を調整することが可能な少なくとも３つの姿勢調整部と、をさらに備える、
ことを特徴とする請求項４に記載の光学機器。
【請求項６】
前記レンズユニットの光軸方向と直交する方向視において、前記フォトインタラプタと前記マイクロホンのうち少なくとも一方は前記少なくとも３つの姿勢調整部の少なくとも一部と重なっている、
ことを特徴とする請求項５に記載の光学機器。
【請求項７】
前記マニュアルリングを含むフロントユニットと、
前記フロントユニットを前記固定鏡筒に固定するためのフロントユニット固定部と、をさらに備え、
前記レンズユニットの光軸方向と直交する方向視において、前記フォトインタラプと前記マイクロホンのうち少なくとも一方は前記フロントユニット固定部の少なくとも一部と重なっている、
ことを特徴とする請求項１乃至６のいずれか一項に記載の光学機器。
【請求項８】
前記フロントユニット固定部は、前記光軸方向視において互いに異なる位置に設けられた第１固定部、第２固定部、第３固定部を含み、
前記第１固定部は前記第１領域に、前記第２固定部は前記第２領域に、前記第３固定部は前記第３領域に設けられている、
ことを特徴とする請求項７に記載の光学機器。
【請求項９】
前記マイクロホンは、第１マイクロホンと、前記レンズユニットの光軸方向視において前記第１マイクロホンとは異なる位置に設けられた第２マイクロホンを含む、
ことを特徴とする請求項１乃至８のいずれか一項に記載の光学機器。
【請求項１０】
前記レンズユニットの光軸方向視において、前記第１固定部は前記第１マイクロホンと前記第２マイクロホンの間に設けられている、
ことを特徴とする請求項９に記載の光学機器。
【請求項１１】
前記回転方向において、前記第２マイクロホンは前記第１マイクロホンから９０度離れた位置よりも前記第１マイクロホンに近い位置に設けられている、
ことを特徴とする請求項９または１０に記載の光学機器。
【請求項１２】
前記フォトインタラプは、第１フォトインタラプタと、前記レンズユニットの光軸方向視において前記第１フォトインタラプとは異なる位置に設けられた第２フォトインタラプを含む、
ことを特徴とする請求項１乃至１１のいずれか一項に記載の光学機器。
【請求項１３】
前記回転方向において、前記第２フォトインタラプタは前記第１フォトインタラプタから９０度離れた位置よりも前記第１フォトインタラプタに近い位置に設けられている、
ことを特徴とする請求項１２に記載の光学機器。
【請求項１４】
前記レンズユニットの光軸方向と直交する方向視において、前記フォトインタラプは前記マイクロホンの少なくとも一部と重なっている、
ことを特徴とする請求項１乃至１３のいずれか一項に記載の光学機器。
【請求項１５】
前記くし歯形状は、前記マニュアルリングが有するパルスリングに設けられている、
ことを特徴とする請求項１乃至１４のいずれか一項に記載の光学機器。
【発明の詳細な説明】
【技術分野】
【０００１】
本発明は、例えば、ビデオカメラ及びデジタルスチルカメラといった撮像装置等の光学機器に関するものである。
【背景技術】
【０００２】
動画撮影を行うビデオカメラには、録音を行うためのマイクロホンと、ユーザーが操作する操作リングの回転量を検出するためのフォトインタラプタが設けられている。このようなビデオカメラとして特許文献１に記載のビデオカメラが知られている。
【先行技術文献】
【特許文献】
【０００３】
【特許文献１】特開２０１５−２３１１７４号公報
【発明の概要】
【発明が解決しようとする課題】
【０００４】
しかしながら、特許文献１に記載のビデオカメラは、光軸方向視において、マイクロホンとフォトインタラプタが重なっているため、光軸方向においてビデオカメラを小型にすることが困難であった。
【０００５】
そこで、本発明は、従来よりも光軸方向において小型な光学機器を提供することを目的とする。
【課題を解決するための手段】
【０００６】
上記目的を達成するために、本発明の光学機器は、
光軸方向に移動可能なレンズユニットと、
前記レンズユニットを前記光軸方向へ移動させるためのマニュアルリングと、
前記マニュアルリングが有するくし歯形状を覆うように配置されたフォトインタラプタと、
マイクロホンと、を備え、
前記レンズユニットの光軸を中心とした回転方向において、前記フォトインタラプタと前記マイクロホンは互いに異なる位置に配置されている、
ことを特徴とする。
【発明の効果】
【０００７】
本発明によれば、従来よりも光軸方向において小型な光学機器を提供することができる。
【図面の簡単な説明】
【０００８】
【図１】本発明の実施例であるビデオカメラの斜視図
【図２】図１において、レンズ中心で断面を取った図
【図３】レンズ鏡筒を底面側から見た図、および、レンズ群倒れ調整機構部の拡大図
【図４】レンズ鏡筒と、カメラ本体部品の一部であるフロントユニットを示した斜視図
【図５】レンズ鏡筒とマイクユニットを含むカメラ本体部品の一部を示した分解斜視図
【図６】レンズ鏡筒とマイクユニットを含むカメラ本体部品の一部をレンズ前玉側から見た図
【図７】本発明における主要構成部品をカメラ上面側から見た図
【図８】本発明における主要構成部品をカメラ底面側から見た図
【図９】本発明における主要構成部品をカメラ右側面側から見た図
【発明を実施するための形態】
【０００９】
以下に図面を参照して、この発明の好適な実施の形態を例示的に説明する。ただし、この実施の形態に記載されている構成部品の相対配置などは、この発明が適用される装置の構成や各種条件により適宜変更されるべきものである。すなわち、本発明は後述の実施の形態に限定されず、その要旨の範囲内で様々な変形及び変更が可能である。
【００１０】
〔第１実施例〕
（デジタルビデオカメラの全体構成の説明）
以下、図１を参照し、本発明の第１の実施形態の本体構成について説明する。
【００１１】
図１は、本実施形態に係るデジタルビデオカメラ（光学機器）を正面側（物体側）から見た斜視図である。図１に示すように、本実施形態のデジタルビデオカメラにはカメラ本体１００の正面側にダイアル操作部１０１が設けられ、カメラ本体１００の背面側にビューファインダ１０２が設けられている。カメラ本体１００の上面部には、電源のＯＮ／ＯＦＦ及び撮影した動画の再生モードを切り替えるスライド式スイッチ１０３、ズーム操作スイッチ１０４、アクセサリシュー１０５、及びモード切替スイッチ１０６が設けられる。
【００１２】
また、カメラ本体１００の正面側から見て右側の側面部には、表示ユニット１０７が開閉可能に支持されている。ここで、カメラ本体１００は、本発明の装置本体の一例に相当する。外観に露出する部分に、マイク１０８，マイク１０９、操作リング１１０、レンズフード取付部材１１１、装飾部１１２、レンズ仕様表記部材１１３、フォーカスユニットの窓部１１４、及び外装部材１１５が配置される。マイク１０８、マイク１０９は、カメラ本体１００の上面側で、かつ操作リング１１０の近傍に配置される。
【００１３】
以下、本実施形態の撮像装置の構成に関して、図２〜図９を用いて説明する。
【００１４】
（レンズの倒れ調整機構）
初めに、レンズ鏡筒Ｌの第一レンズ群Ｌ１（第１レンズユニット）の倒れ調整機構について図２及び図３を用いて説明する。第１一レンズ群Ｌ１は、光学機器としてのカメラが備える複数のレンズユニットのうち最も被写体側に位置しているレンズユニットである。ここでいう複数のレンズユニットは、ズーミングあるいはフォーカシングの際に隣接するレンズユニット間の間隔が変化するように設けられているものを示す。なお、複数のレンズユニットのうち全てのレンズユニットが光軸方向に移動可能な構成でなくてもよい。
【００１５】
図２に示すようにレンズ鏡筒Ｌ内においては、最も被写体側に第一レンズ群Ｌ１が配置されている。Ｌ１ｂは偏芯コロである。偏芯コロＬ１ｂはビスＬ１ｃによって、第一レンズ群Ｌ１を保持している１群保持鏡筒Ｌ１ａ（第１レンズユニット保持鏡筒）に対してビス止め固定されている。また、固定鏡筒Ｌ８はレンズ鏡筒Ｌの固定部材である。
【００１６】
偏芯コロＬ１ｂやビスＬ１ｃは、レンズ鏡筒Ｌの底面側の部分しか図示していないが、同様の倒れ調整機構が、図４においてＬ２部やＬ４部にも存在し、その位置は前玉方向からレンズを見たときに１２０度等分で配置されている。つまり、偏芯コロおよび偏芯コロの止めビスがそれぞれ、１２０度等分で３箇所配置されている。言い換えれば、本実施例における光学機器は、１群保持鏡筒Ｌ１ａと、１群保持鏡筒Ｌ１ａよりも像側に配置された固定鏡筒と、固定鏡筒に対する１群保持鏡筒Ｌ１ａの相対的な姿勢を調整することが可能な姿勢調整部を有している。そして、この姿勢調整部は少なくとも３つある。
【００１７】
次に偏芯コロＬ１ｂの機能について図３を用いて説明する。偏芯コロＬ１ｂは、図３において、コロ先端部分の径Ｌ１ｂ１部が、コロの回転中心Ｌ１ｄに対して偏芯した形状をしている。コロ回転中心位置はＬ１ｄであるが、径Ｌ１ｂ１の中心はＬ１ｅである。つまり、偏芯コロの偏芯量としてはＬ１ｆとなる。偏芯コロの径Ｌ１ｂ１は、固定鏡筒Ｌ８の幅部Ｌ８ａと嵌合している。
【００１８】
偏芯コロＬ１ｂは、１群保持鏡筒Ｌ１ａに対してビス止め固定されている為、例えば３箇所偏芯コロのうちの１箇所を回転させると、１群保持鏡筒Ｌ１ａは、コロ配置３箇所中１箇所の位置のみ、コロ偏芯量分だけ光軸方向に位置変化する。具体的には偏芯コロＬ１ｂを９０度回転させると、コロ３箇所中１箇所のみ、光軸方向にＬ１ｆ（＝コロ偏芯量）だけ位置変化する。
【００１９】
その結果として、１群保持鏡筒Ｌ１ａが傾くことになる。つまり、１群保持鏡筒Ｌ１ａは第一レンズ群Ｌ１を保持しているため、第一レンズ群Ｌ１の傾き調整をすることが可能な構成となっている。偏芯コロＬ１ｂには、切り欠き形状Ｌ１ｂ２が形成されており、例えば、マイナスドライバー等の工具を、切り欠き部に挿入した後で、工具を回転させる。その結果、偏芯コロをスムーズに回転させることが出来るため、１群保持鏡筒Ｌ１ａの傾き調整をすることが可能となる。
【００２０】
（カメラ本体の構成要素）
次に、カメラ本体Ｂが備える各構成要素について図４〜図６を用いて説明する。
【００２１】
図４に示すように、マイクユニットＭ１とＭ２（第１及び第２マイクロホン）はレンズ鏡筒Ｌの上面側に配置されており、穴の開いたトップカバーＭ４によってケーシングされている。マイクユニットＭ１は撮影者にとって右方向から聞こえる音声を集音するためにビデオカメラ上面右側に配置されている。同様に、マイクユニットＭ２は撮影者にとって左方向から聞こえる音声を集音するためにビデオカメラ上面左側に配置されている。
【００２２】
図５及び前述の図２に示すように、Ｂ１は第一フロントカバーである。第一フロントカバーＢ１は、フィルターネジを取り付けるためのネジが切られてある。また、フードを取り付けるためのバヨネット形状が形成されている。Ｂ２はゴムリングである。レンズ鏡筒ＬとフロントカバーＢ１との間で挟持され、例えばレンズ鏡筒Ｌ内のモーター等の振動が外観部品に伝わらない様にするための部品である。
【００２３】
Ｂ３はマニュアルリングである。マニュアルリングＢ３は、外観用のアルミリングＢ３ａと、くし歯形状Ｂ３ａ１を有するパルスリングＢ３ｂを一体化したものである。フォトインタラプタＰ１及びＰ２はこのくし歯形状Ｂ３ａ１を覆うように配置されている。例えば、アルミリングＢ３ａとパルスリングＢ３ｂを互いに接着固定することで一体化されている。Ｂ３ａは外観部品であるため、材料は例えばアルミが望ましい。Ｂ３ｂは外観部品ではないため、材料はコストが安いポリカーボネート樹脂が望ましい。
【００２４】
マニュアルリングＢ３を撮影者が回すと、レンズ鏡筒内部のフォーカスレンズ（レンズユニット）が光軸方向に動き、ピント合わせが出来る構成となっている。Ｂ４は第二フロントカバーである。
【００２５】
第一フロントカバーＢ１に対して、マニュアルリングＢ３を間に挟んだ状態で、第二フロントカバーをビスＢ４ａ、Ｂ４ｂ、Ｂ４ｃ、Ｂ４ｄによってビス止めすることにより、マニュアルリングＢ３の光軸方向の位置が決まる。このため、光軸方向における定位置で、マニュアルリングＢ３を回転可能に保持出来る構成となっている。
【００２６】
図５及び図６に示すように、Ｐ１とＰ２は第１及び第２フォトインタラプタであり、Ｐ３は、フォトインタラプタＰ１とＰ２を実装するためのフレキシブルプリント基板である。フォトインタラプタＰ１とＰ２は、フレキシブルプリント基板Ｐ３に実装固定された後、フレキシブルプリント基板Ｐ３を、前述の第二フロントカバーＢ４に接着固定される構成となっている。
【００２７】
フォトインタラプタＰ１とＰ２は、パルスリングＢ３ｂのくし歯形状部Ｂ３ｂ１を検出するように配置されている。Ｂ３ｂ１はくし歯形状をしているため、撮影者がマニュアルリングを回転させると、フォトインタラプタが投光、および、受光を繰り返し検知する。フォトインタラプタＰ１とＰ２の配置関係は、お互いの位相が電気角にて９０°位相がずれるように配置されている。この構成をとることによって、マニュアルリングの相対回転角や、回転方向を検出可能となっている。
【００２８】
図５に示すように、マイクユニットＭ１とＭ２は、フロントホルダーＭ３に対して固定され、フロントホルダーＭ３は、第二フロントカバーＢ４に対してビス止め固定されている。更に、前述のトップカバーＭ４も、第二フロントカバーＢ４に対してビス止め固定される構成となっている。なお、図５においてそれぞれの固定部は不図示である。
【００２９】
図４に示すように、第一フロントカバーＢ１、マニュアルリングＢ３、第二フロントカバーＢ４、マイクユニットＭ１、Ｍ２、フロントホルダーＭ３、トップカバーＭ４は順次組み立てられる。これらをユニット化したものは、フロントユニットＦＵである。
【００３０】
前述のように、固定鏡筒Ｌ８はレンズ鏡筒Ｌ内の構成要素の一つであり、固定部材である。Ｌ９とＬ１０は、固定鏡筒Ｌ８に設けられた、フロントユニットＦＵの位置決め用の穴である。フロントユニットＦＵ内の第一フロントカバーＢ１には、前述の位置決め穴Ｌ９、および、Ｌ１０に対応した位置に、位置決め用のピンＢ１１ａ、および、Ｂ１１ｂが形成されている。穴Ｌ９とピンＢ１１ａ，および、穴Ｌ１０とピンＢ１１ｂが、それぞれ嵌合することで、固定鏡筒Ｌ８とフロントユニットＦＵが、レンズ径方向において相対的に位置決めされる。
【００３１】
図４及び図５に示すように、前述のフロントユニットＦＵは、レンズ鏡筒Ｌに対して前玉側から挿入された後、レンズ鏡筒Ｌに対して、ビスＢ１ａ、Ｂ１ｂ、Ｂ１ｃ、Ｂ１ｄによって、レンズ径方向外側からビス止めする構成となっている。
【００３２】
第一フロントカバーＢ１からはリブ状の突起形状および貫通穴Ｂ１ｅ、Ｂ１ｆ、Ｂ１ｇ、Ｂ１ｈが設けられており（Ｂ１ｈは不図示）、例えば、ビスＢ１ａはセルフタップネジである。ビスＢ１ａを貫通穴Ｂ１ｅに貫通させたあと、固定鏡筒Ｌ８に設けられた、ボス形状部Ｌ６に対して、ビス止め固定される。同様にして、Ｂ１ｂ、Ｂ１ｃ、Ｂ１ｄも径方向外側から内側に向かってビス止め固定される。
【００３３】
（撮像装置の組み立て手順）
前述のような構成における組み立て手順を以下に説明する。
【００３４】
固定鏡筒Ｌ８や１群保持鏡筒Ｌ１ａや第一レンズ群Ｌ１や偏芯コロＬ１ｂは、レンズ鏡筒Ｌに含まれる部品であり、レンズ鏡筒Ｌを組み立てる手順が先となる。まずは、１群保持鏡筒Ｌ１ａに対して、第一レンズ群Ｌ１を光軸方向前玉側から挿入し、熱カシメ固定する。その後、固定鏡筒Ｌ８に対して、１群保持鏡筒Ｌ１ａを光軸方向前玉側から挿入し、固定鏡筒Ｌ８の側面側から３箇所の偏芯コロＬ１ｂを挿入し、同じく３か所の偏芯コロ止めビスＬ１ｃをビス止め固定する。その後、偏芯コロＬ１ｂを回転させ、傾き調整を行う。この傾き調整を行うことでレンズ鏡筒Ｌは完成状態となる。
【００３５】
次に、第一フロントカバーＢ１、マニュアルリングＢ３、第二フロントカバーＢ４、マイクユニットＭ１、Ｍ２、フロントホルダーＭ３、トップカバーＭ４を順次組み立てる。前述のようにこれらの部材をユニット化したものがフロントユニットＦＵである。フロントユニットＦＵは、レンズ鏡筒Ｌに対して光軸方向前玉側から挿入され、前述のように、ビスＢ１ａ、Ｂ１ｂ、Ｂ１ｃ、Ｂ１ｄを径方向外側から内側に向かってビス止め固定することによって固定される。
【００３６】
（撮像装置を小型化できる構成）
図６〜図９を用いて撮像装置を小型化できる構成について説明する。
【００３７】
図６において、Ｍ１ａは、マイクユニットＭ１の配置位置を示している。また、Ｍ２ａは、マイクユニットＭ２の配置位置を示している。ここでいうマイクユニットの配置位置とは、レンズユニットの光軸方向視において、マイクユニットを構成する部材の全てを含む最も面積の小さい矩形の領域と言い換えることができる。もちろん完全に全ての部品を含む領域と定義する必要はなく、例えば配線や端子、ビス等を除いた領域としてもよい。マイクユニットの配置位置以外の後述の各部材の配置位置も上記のように言い換えることができる。
【００３８】
Ｌ２、Ｌ３、Ｌ４は、前述のように、第一レンズ群Ｌ１の倒れ調整機構を構成する部分の配置位置を示しており、前玉方向からレンズ鏡筒を見たときに１２０度等分で配置されている。Ｌ５ａ、Ｌ６ａ、Ｌ７ａ、Ｌ８ａは前述のフロントユニットＦＵを、固定鏡筒Ｌ８に固定する部分（フロントユニット固定部が含む第１、第２、第３固定部）の配置位置を示している。なお、図６においてはビスＢ１ａ、Ｂ１ｂ、Ｂ１ｃ、Ｂ１ｄ、および、第一フロントカバーＢ１は不図示である。そして、Ｐ１２は、フォトインタラプタＰ１とＰ２の配置位置を示している。
【００３９】
図６に示すように、各部材の配置位置は、レンズ前玉側から見たときに（レンズユニットの光軸方向視において）、レンズ中心を基準としたときに、略同一円周上に効率良く分散する形で配置されている。ここでいう各部材の配置位置とは、マイクユニットＭ１とＭ２、第一レンズ群Ｌ１の倒れ調整機構を構成する部分Ｌ２、Ｌ３、Ｌ４、フロントユニットＦＵ固定部分Ｌ５ａ、Ｌ６ａ、Ｌ７ａ、Ｌ８ａ、フォトインタラプタＰ１、Ｐ２の配置位置のことをいう。
【００４０】
言い換えれば、レンズユニットの光軸を中心とした回転方向（図６中の両矢印で示す周方向）において、フォトインタラプタＰ１及びＰ２と、マイクロホンＭ１及びＭ２は互いに異なる位置に配置されている。
【００４１】
前述の回転方向において、フォトインタラプタＰ１及びＰ２はマイクロホンＭ１及びＭ２から９０度以上離れた位置に設けられていると好ましい。ここでいう９０以上離れている配置とは、第１直線と第２直線のなす角度が９０度以上であることをいう。第１直線とはレンズユニットの光軸方向視において、フォトインタラプタＰ１あるいはＰ２が設けられている領域とレンズユニットの光軸を通る直線である。第２直線とはマイクロホンＭ１あるいはＭ２が設けられている領域とレンズユニットの光軸を通る直線である。
【００４２】
また、レンズユニットの光軸方向視における前述の回転方向において、マイクユニットＭ２はマイクユニットＭ１から９０度離れた位置（あるいは６０度離れた位置）よりもマイクユニットＭ１に近い位置に設けられていることが好ましい。このように構成することでマイクユニットＭ１とＭ２とが互いに近付くことができるため、光学機器としての大きさをより小さくすることができる。ただし、マイクユニットＭ１及びＭ２は互いに個別に右あるいは左の音を実用に支障がない範囲で録音できる程度に離しても良い。
【００４３】
言い換えれば、第３直線と第４直線のなす角度が９０度以下あるいは６０度以下であることが好ましい。ここでいう第３直線とはマイクユニットＭ１が設けられている領域とレンズユニットの光軸を通る直線であり、第４直線とマイクユニットＭ２が設けられている領域とレンズユニットの光軸を通る直線である。また、マイクユニットＭ１とマイクユニットＭ２の間に第１固定部（フロントユニット固定部のうちの１つ）を設けることが空いているスペースを有効に活用することができる。
【００４４】
また、レンズユニットの光軸方向視における前述の回転方向において、フォトインタラプタＰ２はフォトインタラプタＰ１から９０度あるいは６０度離れた位置よりもフォトインタラプタＰ１に近い位置に設けられていることが好ましい。言い換えれば、第５直線と第６直線のなす角度が９０度以下あるいは６０度以下であることが好ましい。ここでいう第５直線とはフォトインタラプタＰ１が設けられている領域とレンズユニットの光軸を通る直線であり、第６直線とフォトインタラプタＰ２が設けられている領域とレンズユニットの光軸を通る直線である。
【００４５】
より具体的には、レンズ中心（レンズユニットの光軸）と、倒れ調整機構を構成する部分Ｌ２、Ｌ３、Ｌ４（少なくとも３つの姿勢調整ｂぐ）をそれぞれ結ぶ線で３つの領域を作成する。この領域はそれぞれＸ，Ｙ、Ｚ（第１領域、第２領域、第３領域）とする。つまり、第１〜第３領域はレンズユニットの光軸方向視において１２０度間隔で分割された３つの領域である。
【００４６】
このとき、３つの領域のうち、一つの領域内にマイクユニットＭ１とＭ２が配置され、残る２つの領域のうち１つの領域内にフォトインタラプタＰ１とＰ２が配置されている。本実施例においては、領域Ｘ内にはマイクユニットＭ１とＭ２が配置され、領域Ｙ内にはフォトインタラプタＰ１とＰ２が配置されている。
【００４７】
また、フロントユニットＦＵ固定部分Ｌ５ａ、Ｌ６ａ、Ｌ７ａ、Ｌ８ａに関しては、前述の３つのそれぞれの領域に対して、少なくとも１つ以上のフロントユニットＦＵ固定部分が配置されている。本実施例においては、領域Ｘ内にはフロントユニットＦＵ固定部Ｌ５ａが、領域Ｙ内にはフロントユニットＦＵ固定部Ｌ８ａが、領域Ｚ内にはフロントユニットＦＵ固定部Ｌ６ａとＬ７ａが、それぞれ配置されている。
【００４８】
前述のように、本実施例では、カメラ本体として必要な構成要素と、レンズ鏡筒として必要な構成要素とを、レンズ中心を基準としたときに、略同一円周上に効率良く分散するように配置している。その結果、カメラとしてレンズ中心基準での径方向の大きさを最小限に抑えることが可能な構成となっている。言い換えれば、光学機器としてのカメラを径方向に小型化することができる。
【００４９】
次に、レンズユニットの光軸直交方向視における各部材の配置に関して、図７〜図
９を用いて説明する。ここでいう各部材の配置位置とは、マイクユニットＭ１とＭ２、第一レンズ群Ｌ１の倒れ調整機構を構成する部分Ｌ２、Ｌ３、Ｌ４、フロントユニットＦＵ固定部分Ｌ５ａ、Ｌ６ａ、Ｌ７ａ、Ｌ８ａ、フォトインタラプタＰ１、Ｐ２の配置位置のことをいう。
【００５０】
図７〜図９に示すように、各部材の配置は、光軸方向において、任意の異なる２つの構成要素を選択した時に、いずれの組み合わせにおいても、光軸方向に重なる位置に配置されている。より具体的には、図９において、Ｐ１２ａは、フォトインタラプタＰ１とＰ２配置位置Ｐ１２の左端を示す線であり、Ｍ１ａ１は、マイクユニットＭ１の配置位置Ｍ１ａの右端を示す線である。つまり、フォトインタラプタＰ１とＰ２に対して、マイクユニットＭ１とＭ２も、光軸方向において重なる位置に配置されていることを示している。
【００５１】
つまり、レンズユニットの光軸方向と直交する方向視において、フォトインタラプタの少なくとも一部は、マイクロホンの少なくとも一部と重なっている。同様に、フォトインタラプタとマイクロホンのうち少なくとも一方は、少なくとも３つの姿勢調整部の少なくとも一部と重なっている。同様に、フォトインタラプタとマイクロホンのうち少なくとも一方は、フロントユニット固定部の少なくとも一部と重なっている。
【００５２】
このような構成をとることで、従来よりも光軸方向において小型な光学機器を提供することができる。より詳細には、カメラ本体として必要な構成要素と、レンズ鏡筒として必要な構成要素とを、レンズ中心を基準としたときに、略同一円周上に効率良く分散するように配置することができる。さらに、光軸方向においても重なる位置に配置することで、カメラとして、レンズ中心基準での径方向の大きさ、および、光軸方向の大きさを最小限に抑えることが可能な構成となっている。
【００５３】
（変形例）
なお、本発明の構成は、ビデオカメラに限らず、デジタルスチルカメラ等の撮像装置にも搭載することができる。
【符号の説明】
【００５４】
Ｌ１ａ  １群保持鏡筒（レンズ群保持鏡筒）
Ｌ８  固定鏡筒
Ｍ１，Ｍ２  マイクユニット（マイクロホン）
Ｌ２，Ｌ３，Ｌ４  第一レンズ群Ｌ１の倒れ調整機構を構成する部分（連結保持部）
Ｌ１ｂ  偏芯コロ
Ｌ５ａ，Ｌ６ａ，Ｌ７ａ，Ｌ８ａ  フロントユニット固定部
Ｐ１，Ｐ２  フォトインタラプタ
Ｂ３  マニュアルリング
Ｂ３ｂ  パルスリング
【図１】
2018098587.tif 000003
【図２】
2018098587.tif 000004
【図３】
2018098587.tif 000005
【図４】
2018098587.tif 000006
【図５】
2018098587.tif 000007
【図６】
2018098587.tif 000008
【図７】
2018098587.tif 000009
【図８】
2018098587.tif 000010
【図９】
2018098587.tif 000011